(57)【要約】【課題】  部品点数を低減した時計のスプリング付きテンプ共振子を提供すること。【解決手段】  本発明は、テンプ輪（１３）とテンプ・スプリング構造体（１５）とを有する共振子（１１）に関し、テンプ輪（１３）はテンプ軸（１７）に装着され、テンプ・スプリング構造体（１５）は、コレット（１４）と一体化され且つテンプ軸に取り付けされる。本発明によれば、コレット（１４）は、調速機構と協働するように配設されたピンを形成する一体的突起部又は隆起（１６）を含む。本発明は時計のムーブメントの分野に関する。【選択図】      図１
2011107133.tif 000002
【特許請求の範囲】
【請求項１】
テンプ軸（１７）上に装着されたテンプ輪（１３）と、コレット（１４）と一体化され且つ前記テンプ軸上に装着されたヘアスプリング（１２）とを備えるスプリング付きテンプ共振子（１１）であって、前記コレット（１４）が、調速機構と協働するように配置されたピンを形成する一体化突起部又は隆起部（１６）を含む、
ことを特徴とするスプリング付きテンプ共振子（１１）。
【請求項２】
前記ピンを形成する突起部又は隆起部（１６）が、前記テンプ軸とほぼ平行に装着される、
ことを特徴とする請求項１に記載の共振子（１１）。
【請求項３】
前記突起部又は隆起部（１６）が、前記テンプ輪（１３）の凹部（１９）を通して装着される、
ことを特徴とする請求項１又は請求項２に記載の共振子（１１）。
【請求項４】
前記ヘアスプリング（１２）およびピン（１６）の組立体が、シリコン基材で形成される、
ことを特徴とする請求項１〜３のいずれかに記載の共振子（１１）。
【請求項５】
請求項１〜４のいずれかに記載の共振子（１１）を含むことを特徴とする時計。
【請求項６】
テンプ・スプリング構造体（１５）を製造する方法であって、
ａ）中間層によって互いに接続された上層及び下層を含む基板を準備するステップと、
ｂ）一体化コレット（１４）を有する少なくとも１つのヘアスプリング（１２）を前記上層にエッチングするステップと、
ｃ）前記コレットに結合された少なくとも１つのピン（１６）を前記下層にエッチングして、一体成形品のテンプ・スプリング構造体（１５）およびピン（１６）の組立体を形成するステップと、
ｄ）前記テンプ・スプリング構造体（１５）およびピン（１６）の組立体を前記基板から取り外すステップと、
を含む方法。
【請求項７】
複数のテンプ・スプリング構造体（１５）が、同じ基板から製造される、
ことを特徴とする前記請求項に記載の方法。 
【発明の詳細な説明】
【技術分野】
【０００１】
本発明は、時計のスプリング付きテンプ共振子に関し、より具体的には、より少ない部品を含むこの種の共振子に関する。
【背景技術】
【０００２】
スプリング付きテンプ共振子は、一般に、図２に示すような構成を有する。共振子１は、時計のムーブメントの受け板と底板との間に回転可能に装着されるテンプ軸７に取り付けられたテンプ輪３を含む。
【０００３】
図２に示すように、テンプ輪３は、振動周波数を調速機構に伝達するために、テンプ輪の凹部に嵌合取着されたピン６を備える。テンプ・スプリング構造体５が、テンプ軸７の肩部８の他方の側に取り付けられる。テンプ・スプリング構造体５は、テンプ軸７に取り付けられるコレット４と一体成形品に形成されたヘアスプリング２を含む。
【発明の概要】
【発明が解決しようとする課題】
【０００４】
本発明の目的は、部品点数を低減することにより、スプリング付きテンプ共振子の製造を単純化すると同時に、製造品質を改善することである。
【課題を解決するための手段】
【０００５】
従って、本発明は、テンプ軸に取り付けられたテンプ輪と、コレットと一体化され、テンプ軸に取り付けられたテンプ・スプリング構造体とを含むスプリング付きテンプ共振子であって、コレットが、調速機構と協働するように配置された、ピンを形成する一体的突起部又は隆起部を含むことを特徴とする、スプリング付きテンプ共振子に関する。
【０００６】
従って、テンプ・スプリング構造体およびピンの組立体が一体成形品で形成され、これにより、ピンとコレットとテンプ・スプリングとの間の完全な位置決めが可能になると共に、部品点数を低減し、すなわち共振子の製造を単純化できることは明らかである。
【０００７】
本発明の他の有利な特徴は、
−ピンを形成する突起部又は隆起部がテンプ軸とほぼ平行に配設されること、
−突起部又は隆起部が、テンプ輪の凹部を通して取着されること、
−テンプ・スプリング構造体およびピンの組立体がシリコン基材から形成されること、
である。
【０００８】
本発明はまた、前述の変形態様のいずれかによる共振子を含むことを特徴とする時計に関する。
【０００９】
最後に、本発明は、少なくとも１つのテンプ・スプリング構造体を製造する方法に関し、
ａ）中間層によって互いに接続された上層及び下層を含む基板を準備するステップと、
ｂ）一体化コレット（１４）を有する少なくとも１つのヘアスプリング（１２）を前記上層にエッチングするステップと、
ｃ）前記コレットに接続される少なくとも１つのピン（１６）を前記下層にエッチングして、一体成形品のテンプ・スプリング構造体（１５）およびピン（１６）の組立体を形成するテップと、
ｄ）テンプ・スプリング構造体（１５）およびピン（１６）の前記組立体を前記基板から取り外すステップと、
を含むことを特徴とする。
【００１０】
他の特性及び利点は、添付図面を参照しながら、非限定的な例示として与える以下の説明から明らかになるであろう。
【図面の簡単な説明】
【００１１】
【図１】本発明による共振子の断面図である。
【図２】従来技術による共振子の断面図である。
【発明を実施するための形態】
【００１２】
本発明によれば、共振子１１は、時計のムーブメントの受け板と底板との間で回転可能に取り付けられるテンプ軸７に取り付けられたテンプ輪３を含む。テンプ・スプリング構造体１５は、テンプ軸１７の肩部１８の他方の側に嵌合される。テンプ・スプリング構造体１５は、テンプ軸１７に嵌合されたコレット１４と一体成形品で形成されたヘアスプリング１２を含む。有利なことに、本発明によれば、テンプ・スプリング構造体１５は、該テンプ・スプリング構造体１５と一体化され、コレット１４と結合されたピン１６を含む。従って、テンプ・スプリング構造体１５は、単にヘアスプリング１２及びコレット１４だけではなく、ピン１６も一体的に含む。
【００１３】
図２で分かるように、テンプ輪１３は、ピン１５を受けるための凹部１９を含み、該ピンは、テンプ輪１３の下方に突出できる。従って、通常の様式では、ピン１６は、共振子１１からの振動周波数を調速機構（図示せず）、すなわち、例えば、スイス式レバー脱進機のホーンに伝達するためのものである。そのため、共振子１１の製造は、より少ない部品を備えることで単純化され、これにより、ピン１６、コレット１４及びヘアスプリング１２との間での完璧な位置決めが可能になることは明らかである。
【００１４】
好ましくは、本発明に従って、テンプ・スプリング構造体１５およびピン１６の組立体は、シリコン基材、より具体的には、単結晶シリコン基材で形成される。このことは、Ｓ．Ｏ．Ｉ．（シリコン・オン・インシュレータ）型基板を用いることにより可能となる。実際には、最初に、テンプ・スプリング構造体１５、すなわちヘアスプリング１２及びコレット１４が、「デバイス」とも呼ばれる上層にエッチングされる。一方、次に、ピン１６が、「ハンドル」とも呼ばれる下層にエッチングされる。次いで第３には、テンプ・スプリング構造体１５およびピン１６の組立体を基板から取り外すだけである。同じＳ．Ｏ．Ｉ．基板上に複数のテンプ・スプリング構造体１５をエッチングすることにより、連続生産が可能になることは明らかである。
【００１５】
当然のことながら、本発明は、図示の実施例に限定されるものではなく、種々の変形及び変更が可能であり、これは当業者には明らかであろう。詳細には、ヘアスプリング１２＆コレット１４およびピン１６の組立体の強度を向上するために、最終的に酸化を実施することができる。
【符号の説明】
【００１６】
１、１１  共振子；  ２、１２  ヘアスプリング；  ３、１３  テンプ輪；  
４、１４  コレット；  ５、１５  テンプ・スプリング構造体；  
６、１６  ピン；  ７、１７  テンプ軸；  ８、１８  肩部；  １９  凹部。
【図１】
2011107133.tif 000003
【図２】
2011107133.tif 000004